(57)【要約】【課題】  手術中に、大動脈弁又は肺動脈弁の閉鎖不全であるか否かを検査できる動脈弁検査装置を提供する。【解決手段】  筒状の本体１０と、入水パイプ２０と、を有し、該本体の一端に透明の検査鏡１３が設けられると共に、他端に開口部１２が形成され、該検査鏡の周囲に水を注入するための入水口１４と、気体を排出するための排気口１５とが形成され、該開口部の周囲に入水口と連通する出水口と、排気口と連通する気体進入口１５１とが形成され、該入水パイプ２０は本体の入水口１４と連接されることを特徴とする。【選択図】  図１
0003130152.tif 000002
【実用新案登録請求の範囲】
【請求項１】
筒状の本体と、入水パイプと、を有し、該本体の一端に透明の検査鏡が設けられると共に、他端に開口部が形成され、該検査鏡の周囲に水を注入するための入水口と、気体を排出するための排気口とが形成され、該開口部の周囲に入水口と連通する出水口と、排気口と連通する気体進入口とが形成され、該入水パイプは本体の入水口と連接されることを特徴とする動脈弁検査装置。
【請求項２】
前記入水口に近い本体の外側に該入水口と連通する第１出水口が形成されると共に、本体の外側に更に外側入水口が形成され、該開口部の周囲に外側入水口と連通する第２出水口が形成され、検査鏡に近い本体の内側壁に更に排気口と連通する内側気体進入口が形成され、又、本体の外側に該第１出水口と外側入水口を包覆するシリコン製の注水フィルムが設けられる請求項１の動脈弁検査装置。
【請求項３】
前記入水パイプに本体に注入する水量を制御するための制御バルブが設けられ、又、前記本体における排気口に更に排気パイプが連接され、該排気パイプに気体の排出を制御する制御バルブが設けられる請求項１又は２の動脈弁検査装置。
【考案の詳細な説明】
【技術分野】
【０００１】
本考案は、特に手術中に、大動脈弁又は肺動脈弁の閉鎖不全であるか否かを検査できる動脈弁検査装置に関する。
【背景技術】
【０００２】
人体の心臓内には四つの弁を有し、即ち左心室と上行大動脈との間における大動脈弁、右心室と肺動脈との間における肺動脈弁、左心房と左心室との間における僧帽弁、及び右心房と右心室との間における三尖弁であり、これらの弁が閉鎖不全となった場合、様々な心臓の病気が起こりやすくなる。
【０００３】
一般に、動脈弁の閉鎖不全となった場合には、手術により人工動脈弁を取り付ければ解決できるが、手術により動脈弁を修復するほうが望ましい。
【考案の開示】
【考案が解決しようとする課題】
【０００４】
しかしながら、手術で動脈弁を修復した場合、手術の成功であるか否かを直ちに検査することができなく、必ず心拍が回復した後、超音波で検査することができるが、一旦手術が成功しなかった場合には、患者は再び手術を受ける必要があるので、命を脅す恐れがある。
【０００５】
そこで、案出されたのが本考案であって、手術中に、大動脈弁又は肺動脈弁の閉鎖不全であるか否かを検査できる動脈弁検査装置を提供することを目的としている。
【課題を解決するための手段】
【０００６】
本願の請求項１の考案は、筒状の本体と、入水パイプと、を有し、該本体の一端に透明の検査鏡が設けられると共に、他端に開口部が形成され、該検査鏡の周囲に水を注入するための入水口と、気体を排出するための排気口とが形成され、該開口部の周囲に入水口と連通する出水口と、排気口と連通する気体進入口とが形成され、該入水パイプは本体の入水口と連接されることを特徴とする動脈弁検査装置、を提供する。
【０００７】
本願の請求項２の考案は、前記入水口に近い本体の外側に該入水口と連通する第１出水口が形成されると共に、本体の外側に更に外側入水口が形成され、該開口部の周囲に外側入水口と連通する第２出水口が形成され、検査鏡に近い本体の内側壁に更に排気口と連通する内側気体進入口が形成され、又、本体の外側に該第１出水口と外側入水口を包覆するシリコン製の注水フィルムが設けられることを特徴とする請求項１に記載の動脈弁検査装置、を提供する。
【０００８】
本願の請求項３の考案は、前記入水パイプに本体に注入する水量を制御するための制御バルブが設けられ、又、前記本体における排気口に更に排気パイプが連接され、該排気パイプに気体の排出を制御する制御バルブが設けられることを特徴とする請求項１又は２に記載の動脈弁検査装置、を提供する。
【考案の効果】
【０００９】
本考案は上記の課題を解決するものであり、動脈弁検査装置を大動脈又は肺動脈に設置し、水が本体と動脈弁との間に形成された空間を充満する状態で、医者は大動脈弁又は肺動脈弁の閉鎖不全であるか否かを検査することができ、非常に便利である。
【考案を実施するための最良の形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１は本考案に係る動脈弁検査装置を動脈弁の上側に取り付けて、水の注入前の状態を示す断面図であり、図２は本考案に係る動脈弁検査装置の本体を示す縦断面図であり、図３は本考案に係る動脈弁検査装置の本体を示す斜視図であり、図４は本考案に係る動脈弁検査装置における本体の外側に注水フィルムを設置する状態を示す斜視図であり、図５は本考案に係る動脈弁検査装置を動脈弁の上側に取り付けて、水の注入後の状態を示す断面図図であり、図６は本考案に係る動脈弁検査装置を心臓内に取り付けた状態を示す断面図である。
【００１２】
図１乃至図４に示すように、本考案に係る動脈弁検査装置は、筒状の本体（１０）と、入水パイプ（２０）と、を有し、該本体（１０）の一端に透明の検査鏡（１３）が設けられると共に、他端に開口部（１２）が形成され、該検査鏡（１３）の周囲に水を注入するための入水口（１４）と、気体を排出するための排気口（１５）とが形成され、該入水口（１４）に近い本体（１０）の外側に該入水口（１４）と連通する第１出水口（１４１）が形成され、本体（１０）の外側に更に外側入水口（１４２）が形成され、該開口部（１２）の周囲に外側入水口（１４２）と連通する第２出水口（１４３）と、排気口（１５）と連通する気体進入口（１５１）とが形成され、検査鏡（１３）に近い本体（１０）の内側壁に更に排気口（１５）と連通する内側気体進入口（１５２）が形成され、又、本体（１０）の外側に該第１出水口（１４１）と外側入水口（１４２）を包覆するシリコン製の注水フィルム（１６）が設けられる。
【００１３】
前記入水パイプ（２０）は、前記本体（１０）における入水口（１４）と連接され、該入水パイプ（２０）に本体（１０）に注入する水量を制御するための制御バルブ（２１）が設けられる。
【００１４】
また、前記本体（１０）における排気口（１５）に更に排気パイプ（３０）が連接され、該排気パイプ（３０）に気体の排出を制御する制御バルブ（３１）が設けられる。水を本体（１０）内に注入した後、前記制御バルブ（２１）（３１）を封閉させることにより、本体（１０）と動脈弁との間に形成された空間を密室となる。
【００１５】
また、図１、図５及び図６に示すように、動脈弁の修復手術を行う際、必ず人体の血液循環システムを体外循環の方式によって行うと共に、心臓を停止させる。大動脈弁（４３）又は肺動脈弁（４６）を検査しようとする際、先ず本体（１０）を大動脈（４２）と左心室（４１）との間に、又は肺動脈（４５）と右心室（４４）との間に設置させ、水を入水パイプ（２０）から本体（１０）の入水口（１４）に進入させた後、第１出水口（１４１）から注水フィルム（１６）に進入することにより、注水フィルム（１６）を膨張することにより、本体（１０）を大動脈（４２）内又は肺動脈（４５）内に位置決めさせ、水が更に外側入水口（１４２）から第２出水口（１４３）を通じて動脈弁の方向へ流れ、このとき、検査鏡（１３）と動脈弁との間における空気が気体進入口（１５１）と内側気体進入口（１５２）から排気口に排気し、水が本体（１０）と動脈弁との間に形成された空間を充満する状態で、医者は大動脈弁（４３）又は肺動脈弁（４６）の閉鎖不全か否か検査することができる。
【００１６】
大動脈弁（４３）又は肺動脈弁（４６）の閉鎖不全である場合、水が減少することにより、検査鏡（１３）に気泡が発生する状態があるので、医者は手術の不成功で直ちに修復を行うことができる。一方、水が減少しない場合、検査鏡（１３）に気泡が発生しないので、手術の成功を明らかに知ることができる。
【産業上の利用可能性】
【００１７】
本考案は上記の構成を有するので、動脈弁検査装置を大動脈又は肺動脈に設置し、水が本体と動脈弁との間に形成された空間を充満する状態で、医者は大動脈弁又は肺動脈弁の閉鎖不全であるか否かを検査することができ、非常に便利である。
【図面の簡単な説明】
【００１８】
【図１】本考案に係る動脈弁検査装置を動脈弁の上側に取り付けて、水の注入前の状態を示す断面図である。
【図２】本考案に係る動脈弁検査装置の本体を示す縦断面図である。
【図３】本考案に係る動脈弁検査装置の本体を示す斜視図である。
【図４】本考案に係る動脈弁検査装置における本体の外側に注水フィルムを設置する状態を示す斜視図である。
【図５】本考案に係る動脈弁検査装置を動脈弁の上側に取り付けて、水の注入後の状態を示す断面図図である。
【図６】本考案に係る動脈弁検査装置を心臓内に取り付けた状態を示す断面図である。
【符号の説明】
【００１９】
１０        本体
１２        開口部
１３        検査鏡
１４        入水口
１４１      第１出水口
１４２      外側入水口
１４３      第２出水口
１５        排気口
１５１      気体進入口
１５２      内側気体進入口
１６        注水フィルム
２０        入水パイプ
２１        制御バルブ
３０        排気パイプ
３１        制御バルブ
４０        心臓
４１        左心室
４２        大動脈
４３        大動脈弁
４４        右心室
４５        肺動脈
４６        肺動脈弁
【図１】
0003130152.tif 000003
【図２】
0003130152.tif 000004
【図３】
0003130152.tif 000005
【図４】
0003130152.tif 000006
【図５】
0003130152.tif 000007
【図６】
0003130152.tif 000008